(57)【要約】【課題】１台の電源装置で、複数機種の電子機器に対し、その機種毎の定格電圧、その他の特性に応じた電力を供給することができる電源装置を提供すること。【解決手段】電子機器に、ＡＣ−ＤＣ電源としてのＡＣアダプタにて制御された定格電圧を供給するようにした電源装置において、前記電子機器側に接続され、当該電子機器固有の電圧等のデータを記憶したＩＤチップモジュールと、前記ＡＣアダプタ側に接続され、前記ＩＤチップモジュールのデータに基づき電圧等を制御する信号を出力するコントロールモジュールと、前記ＩＤチップモジュールとコントロールモジュールを電気的に結合する手段とを具備している。【選択図】図１
2008167542.tif 000002
【特許請求の範囲】
【請求項１】
電子機器に、ＡＣ−ＤＣ電源としてのＡＣアダプタにて制御された定格電圧を供給するようにした電源装置において、
前記電子機器側に接続され、当該電子機器固有の電圧等のデータを記憶したＩＤチップモジュールと、
前記ＡＣアダプタ側に接続され、前記ＩＤチップモジュールのデータに基づき電圧等を制御する信号を出力するコントロールモジュールと、
前記ＩＤチップモジュールとコントロールモジュールを電気的に結合する手段とを具備したことを特徴とする電源装置。
【請求項２】
ＩＤチップモジュールは、電子機器固有の電圧等のデータを記憶する機器情報メモリとコントロールモジュールからの指令により機器情報メモリに記録されたデータをコントロールモジュールに送るドライバ回路を具備したことを特徴とする請求項１記載の電源装置。
【請求項３】
機器情報メモリは、定格電圧を供給する電子機器固有のデータを事前に書き換えて記憶したものからなることを特徴とする請求項２記載の電源装置。
【請求項４】
機器情報メモリは、複数の機種の電子機器固有のデータを事前に記憶し、そのＩＤチップモジュールを当該電子機器に接続したとき、その電子機器のＩＤを表す信号をアドレスとして該当するデータを選択することを可能にしたものからなることを特徴とする請求項２記載の電源装置。
【請求項５】
コントローラモジュールは、ＩＤチップモジュールとコントローラモジュールを駆動する電源部と、ＩＤチップモジュールから機器データを取り込むシリアルデータ変換部と、シリアルからパラレルに変換するパラレルデータ変換部と、このデータに基づき電源装置固有の電圧等の制御信号を出力する電源コントローラと、ＩＤチップモジュールからデータを呼び出すためのクロック信号発生部とを具備したことを特徴とする請求項１乃至４記載の電源装置。
【請求項６】
ＩＤチップモジュールとコントロールモジュールを電気的に結合する手段は、機器定格電圧端子，３Ｖ端子，データ端子，クロック端子，ロード端子，グランド端子を具備した請求項１記載の電源装置。
【請求項７】
ＡＣアダプタは、フィルタ，整流・平滑回路，電力変換回路，ＰＷＭコントローラを具備し、前記ＰＷＭコントローラに、コントローラモジュールのデータを入力し、ＰＷＭコントローラの出力で電力変換回路の出力を制御するようにした請求項１，２又は５記載の電源装置。
【請求項８】
ＡＣアダプタの前段に力率改善回路を挿入した請求項１乃至７記載の電源装置。
【請求項９】
電子機器に、バッテリと、メイン基板と、バッテリとメイン基板の接離を制御するためのスイッチ回路と、ＡＣアダプタとメイン基板の接離を制御するためのメインスイッチ回路とを具備し、このスイッチ回路とメインスイッチ回路を制御してＡＣアダプタ及び／又はバッテリをメイン基板に接続するようにした請求項１乃至８記載の電源装置。
【発明の詳細な説明】
【技術分野】
【０００１】
本発明は、パソコン、ＰＤＡ（電子手帳）、デジタルカメラ、携帯電話などの電子機器用であって、定格電圧が異なってもすべての機器に直接接続して使用できるようにした電源装置に関するものである。
【背景技術】
【０００２】
一般に、電子機器のＡＣ−ＤＣ電源としてのＡＣアダプタは、電子機器に内蔵しているもの又は外付けとしたものが存在する。
外付けしたものは、図７に示すように、ＡＣアダプタ２１のＡＣ電源コード２３を壁部５１の内部のＡＣコンセント２２にＡＣプラグ１１を差し込んでＡＣバス５２に接続し、ＡＣアダプタ２１のＤＣコード２４を電子機器２０に接続するものである。前記ＡＣアダプタ２１は、一般に、フィルタ２５，整流・平滑回路２６，電力変換回路２７で構成される。
【０００３】
このような電源装置において、パソコン、ＰＤＡ（電子手帳）、デジタルカメラ、携帯電話などの定格電圧が異なる複数の機器に使用するための電源装置が知られている（特許文献１）。
この電源装置１０は、図８に示すように、スイッチングレギュレータ部１２の入力側にＡＣプラグ１１を接続し、スイッチングレギュレータ部１２の出力側に出力電圧の異なる複数組のＤＣ−ＤＣコンバータ部１３ａ，１３ｂ，出力制御部１４ａ，１４ｂ，ジャック１５ａ，１５ｂを順次接続し、電子機器の定格電圧に応じて出力設定操作部１７から制御部１６を介してＤＣ−ＤＣコンバータ部１３ａ，１３ｂにそれぞれ基準電圧Ｖｒａ、Ｖｒｂを供給して出力制御部１４ａ，１４ｂから所定の出力電圧を得て、ジャック１５ａ，１５ｂにて目的の電子機器に供給するようにしたものである。
【０００４】
また、電子機器内に、直流電源の電圧値、電流値、極性等の電源情報を保持すべく独立に構成された電源情報ユニットを内蔵させ、この電源情報ユニットから読み出された電源情報に従って所定の電圧値及び電流値の直流電源をＡＣ／ＤＣコンバータにて選択的に形成する電源アダプタ（特許文献２）、電子機器内の電圧情報発生回路から送られる電子機器の使用電圧に応じてＡＣアダプタで直流電圧を設定し、この設定した電圧が使用電圧に一致したらスイッチをオンして負荷に供給する電源装置（特許文献３）、電子機器の無線タグトランスポンダから定格電圧と定格電力の情報を取得し、その情報が電源装置の電力容量を超過していなければ直流電圧を調整して電子機器に供給する電源装置（特許文献４）が記載されている。
【特許文献１】特開２００１−１６１０７０号公報
【特許文献２】特開平８−１８２１９１号公報
【特許文献３】特開２００１−２４５４７６号公報
【特許文献４】特開２００５−１５１７７２号公報
【発明の開示】
【発明が解決しようとする課題】
【０００５】
図８に示した従来の電源装置１０（特許文献１）では、ジャック１５に接続される電子機器２０が異なれば、その都度出力設定操作部１７で出力設定の操作をしなければならず、極めて煩わしいだけでなく、操作の間違いが起きると、電子機器２０自体が故障したり、破壊したりする恐れがある。また、最近の電子機器の種類が多く、定格電圧もわずかな違いがあって設定ができない場合がある。
もし、定格電圧でない比較的近似した電圧を供給すると、内蔵のリチウム電池が適正電圧で充電しないため故障する恐れがある。このため、通常は、電子機器の機種によってＡＣアダプタの直流電圧とＤＣコードのプラグ形状を異ならせる方法も採用されている。
【０００６】
しかし、これにも限度があるばかりか、電子機器毎にＡＣアダプタ２１を用意することは、利用者にとってどのＡＣアダプタ２１がどの電子機器２０のものか分からなくなり、非常に不便であるばかりか、多くは、使い捨ての状態にある。
また、電子機器２０毎にＡＣアダプタ２１を装備すると、ＡＣアダプタ２１が安価にならざるを得ず、出力の精度にも問題があった。
さらに、電子機器２０の定格電圧だけでなく、容量に応じて電流も適正なＡＣ−ＤＣ電源としてのＡＣアダプタ２１でないと、電子機器２０が適正に動作しなかったり、ＡＣアダプタ２１が破損したりする恐れがある。
その他、電子機器２０には、その電子機器２０の過電流、過電圧、短絡保護などのための保護機能を持たせるなど、特性に応じた電源を供給する必要がある。
【０００７】
特許文献２，３及び４に示した電源装置では、電子機器に内蔵した電源情報回路等からの情報に基づき、電源装置側でそれに対応した電圧に変換して電子機器に供給するものであるが、電子機器に内蔵した電源情報回路等は、その電子機器特有の回路であるため、電源情報回路を内蔵した電子機器以外には使用できない、という問題があった。
【０００８】
本発明の第１の目的は、１台の電源装置で、複数機種の電子機器に対し、その機種毎の定格電圧、その他の特性に応じた電力を供給することができる電源装置を提供することである。
本発明の第２の目的は、複数機種の電子機器における機種毎の定格電圧、その他の特性に応じた情報を記憶した共通の１個のＩＤチップを使用してあらゆる電子機器に電力を供給することができる電源装置を提供することである。
【課題を解決するための手段】
【０００９】
請求項１の電源装置は、
電子機器に、ＡＣ−ＤＣ電源としてのＡＣアダプタにて制御された定格電圧を供給するようにした電源装置において、
前記電子機器側に接続され、当該電子機器固有の電圧等のデータを記憶したＩＤチップモジュールと、
前記ＡＣアダプタ側に接続され、前記ＩＤチップモジュールのデータに基づき電圧等を制御する信号を出力するコントロールモジュールと、
前記ＩＤチップモジュールとコントロールモジュールを電気的に結合する手段とを具備したことを特徴とする。
【００１０】
請求項２の電源装置は、
ＩＤチップモジュールは、電子機器固有の電圧等のデータを記憶する機器情報メモリとコントロールモジュールからの指令により機器情報メモリに記録されたデータをコントロールモジュールに送るドライバ回路を具備したことを特徴とする。
【００１１】
請求項３の電源装置は、
機器情報メモリは、定格電圧を供給する電子機器固有のデータを事前に書き換えて記憶したものからなることを特徴とする。
【００１２】
請求項４の電源装置は、
機器情報メモリは、複数の機種の電子機器固有のデータを事前に記憶し、そのＩＤチップモジュールを当該電子機器に接続したとき、その電子機器のＩＤを表す信号をアドレスとして該当するデータを選択することを可能にしたものからなることを特徴とする。
【００１３】
請求項５の電源装置は、
コントローラモジュールは、ＩＤチップモジュールとコントローラモジュールを駆動する電源部と、ＩＤチップモジュールから機器データを取り込むシリアルデータ変換部と、シリアルからパラレルに変換するパラレルデータ変換部と、このデータに基づき電源装置固有の電圧等の制御信号を出力する電源コントローラと、ＩＤチップモジュールからデータを呼び出すためのクロック信号発生部とを具備したことを特徴とする。
【００１４】
請求項６の電源装置は、
ＩＤチップモジュールとコントロールモジュールを電気的に結合する手段は、機器定格電圧端子，３Ｖ端子，データ端子，クロック端子，ロード端子，グランド端子を具備したことを特徴とする。
【００１５】
請求項７の電源装置は、
ＡＣアダプタは、フィルタ，整流・平滑回路，電力変換回路，ＰＷＭコントローラを具備し、前記ＰＷＭコントローラに、コントローラモジュールのデータを入力し、ＰＷＭコントローラの出力で電力変換回路の出力を制御するようにしたことを特徴とする。
【００１６】
請求項８の電源装置は、
ＡＣアダプタの前段に力率改善回路を挿入したことを特徴とする。
【００１７】
請求項９の電源装置は、
電子機器に、バッテリと、メイン基板と、バッテリとメイン基板の接離を制御するためのスイッチ回路と、ＡＣアダプタとメイン基板の接離を制御するためのメインスイッチ回路とを具備し、このスイッチ回路とメインスイッチ回路を制御してＡＣアダプタ及び／又はバッテリをメイン基板に接続するようにしたことを特徴とする。
【発明の効果】
【００１８】
本発明によれば次のような効果を有する。
（１）接続される電子機器が異なっても出力変更設定の操作をする必要がなく、操作が極めて簡単で、操作の間違いがなく、電子機器の故障、破壊などがない。また、電子機器の種類が多く、定格電圧もわずかな違いがあって正確な設定ができる。
（２）電子機器の機種によってＡＣアダプタの直流電圧とＤＣコードのプラグ形状を異ならせる必要がない。
（３）電子機器の定格電圧だけでなく、容量に応じて電流も適正なＡＣ−ＤＣ電源としてのＡＣアダプタが可能となり、電子機器が適正に動作する。
（４）電子機器に、その電子機器の過電流、過電圧、短絡保護などのための保護機能を持たせるなど、特性に応じた電源を供給することが容易である。
【００１９】
（５）１台の電源装置で、複数機種の電子機器に対し、その機種毎の定格電圧、その他の特性に応じた電力を供給することができる。
（６）複数機種の電子機器における機種毎の定格電圧、その他の特性に応じた情報を記憶した共通の１個のＩＤチップを使用してあらゆる電子機器に電力を供給することができる電源装置を提供することができる。
【発明を実施するための最良の形態】
【００２０】
本発明による電源装置は、
電子機器に、ＡＣ−ＤＣ電源としてのＡＣアダプタにて制御された定格電圧を供給するようにした電源装置において、
前記電子機器側に接続され、当該電子機器固有の電圧等のデータを記憶したＩＤチップモジュールと、
前記ＡＣアダプタ側に接続され、前記ＩＤチップモジュールのデータに基づき電圧等を制御する信号を出力するコントロールモジュールと、
前記ＩＤチップモジュールとコントロールモジュールを電気的に結合する手段とを具備している。
前記ＩＤチップモジュールは、電子機器固有の電圧等のデータを記憶する機器情報メモリとコントロールモジュールからの指令により機器情報メモリに記録されたデータをコントロールモジュールに送るドライバ回路を具備したものである。
前記機器情報メモリは、定格電圧を供給する電子機器固有のデータを事前に書き換えて記憶したものからなること構成とすることもでき、また、機器情報メモリは、複数の機種の電子機器固有のデータを事前に記憶し、そのＩＤチップモジュールを当該電子機器に接続したとき、その電子機器のＩＤを表す信号をアドレスとして該当するデータを選択することを可能にしたものからなる構成とすることもできる。
【実施例１】
【００２１】
本発明の実施例１を図面に基づいて説明する。
図１において、３２は、ＩＤチップセットで、このＩＤチップセット３２は、ＩＤチップモジュール２８、コントローラモジュール２９、これらを接続するＤＣのコネクタピン３０、コネクタソケット３１で構成されている。
前記ＩＤチップモジュール２８は、機器情報メモリ３９とドライバ４０からなり、前記内部の機器情報メモリ３９に、パソコン、ＰＤＡ、デジタルカメラ、携帯電話等の機種の異なる多くの電子機器２０ａ，２０ｂ，２０ｃ，２０ｄ，…の固有のすべての情報が記憶されている。固有の情報としては、定格電圧、定格電流、精度、保護機能（過電圧、過電流、短絡保護など）、その他の情報がある。
【００２２】
前記ＩＤチップモジュール２８の内部の機器情報メモリ３９に、電子機器毎の固有の情報を記憶するには、次の２つの方法が考えられる。
（１）機器情報メモリ３９に電子機器固有のデータのみを事前に書き換えて記憶し、そのＩＤチップモジュール２８を当該電子機器２０に接続する方法。
（２）ルックアップテーブル等からなる機器情報メモリ３９にあらゆる機種の電子機器固有のデータを事前に記憶し、そのＩＤチップモジュール２８を当該電子機器２０に接続したとき、その電子機器２０のＩＤを表す何らかの信号をアドレスとして該当するデータを自動的に選択する方法。
【００２３】
前記コントローラモジュール２９は、前記ＩＤチップモジュール２８のデータを読み込むためのもので、ＡＣ−ＤＣ電源としてのＡＣアダプタ２１の出力端に接続される。前記ＡＣ−ＤＣ電源としてのＡＣアダプタ２１には、卓上タイプ２１ａ、ＡＣアダプタタイプ２１ｂ、ＤＣコンセントタイプ２１ｃ、…等からなる。
【００２４】
前記コントローラモジュール２９は、ＩＤチップモジュール２８とコントローラモジュール２９を駆動する３Ｖ電源部４５と、ＩＤチップモジュール２８から機器データを取り込むシリアルデータ変換部４３と、シリアルからパラレルに変換するパラレルデータ変換部４２と、このデータに基づき電源装置固有の電圧、電流、保護機能などを出力する電源コントローラ４１と、データ呼び出し用のクロック信号発生部４４とを具備している。
【００２５】
前記コントローラモジュール２９側のコネクタソケット３１とＩＤチップモジュール２８側のＩＤチップセット３２は、図２（ａ）（ｂ）に示すように、機器定格電圧端子３３，３Ｖ端子３４，データ端子３５，クロック端子３６，ロード端子３７及びグランド端子３８を具備している。
【００２６】
前記ＡＣ−ＤＣ電源としてのＡＣアダプタ２１は、図３に示すように、ＡＣプラグ１１，フィルタ２５，整流・平滑回路２６，ＤＣ／ＤＣ降圧コンバータなどの電力変換回路２７、ＰＷＭコントローラ４６，電流検出部４７，オペアンプ４８を具備し、さらに、前記ＰＷＭコントローラ４６にコントローラモジュール２９が接続される。
前記電子機器２０には、リチウムイオン電池などの充電可能なバッテリ４９を具備し、さらに、前記ＩＤチップモジュール２８が接続される。
これらの電子機器２０とＡＣアダプタ２１の間は、コネクタソケット３１とコネクタピン３０で結合されている。
【００２７】
以上のような構成の作用を２つの場合に分けて説明する。
（１）機器情報メモリ３９に電子機器固有のデータのみを事前に書き換えて記憶し、そのＩＤチップモジュール２８を当該電子機器２０に接続する場合。
電子機器２０にＡＣアダプタ２１を接続するに際し、事前にＩＤチップモジュール２８に、使用される電子機器２０の固有の情報、具体的には、その電子機器２０の固有の電源電圧、その他の制御用のデータが外部からの入力で機器情報メモリ３９に書き換え記録される。
【００２８】
電子機器２０にＩＤチップモジュール２８を取り付け、ＡＣアダプタ２１にコントローラモジュール２９を取り付けて、これらの間をコネクタソケット３１とコネクタピン３０で結合する。
すると、コントローラモジュール２９の３Ｖ電源部４５から３Ｖのモジュール駆動電源がＩＤチップモジュール２８に供給され、ドライバ回路４０が駆動する。機器情報メモリ３９には、電子機器２０の固有のＩＤが予め記憶されている。
前記ドライバ回路４０に、コントローラモジュール２９のクロック信号発生部４４から図４（ａ）に示す数１００ＫＨｚ〜１ＭＨｚ程度のクロック信号が送られ、機器情報メモリ３９から電子機器のＩＤ情報を読み取り、コネクタピン３０，コネクタソケット３１を経て例えば、図４（ｂ）に示すような各種の電子機器特有のデータがコントローラモジュール２９に送られる。
データとファンクションの関係は次の通りである。
2008167542.tif 000003
ＲＥＡＤ  ＭＯＤＥ  ：本体、ＩＤチップ２８から必要電圧、必要電力、ＯＮ／ＯＦＦ信号などを読み取る。
ＷＲＩＴＥ  ＭＯＤＥ：ＡＣアダプタ２１の供給電力、保護回路動作の有無などの送信。
ＴＥＳＴ  ＭＯＤＥ  ：ＤＩＡＧなどの自己診断を行うモード。
ＲＯＭ  ＭＯＤＥ    ：内部のＲＯＭにデータを書き込む際のモード。
【００２９】
ＩＤチップモジュール２８からコントローラモジュール２９に入力した情報は、シリアルデータ変換部４３，パラレルデータ変換部４２を経て電源コントローラ４１に送られ、この電源コントローラ４１から電圧、電流、その他のデータがＰＷＭコントローラ４６に送られる。このＰＷＭコントローラ４６から接続された電子機器２０に対応するＰＷＭ出力信号が電圧等の指令として出力し、電力変換回路２７で定格電圧が得られ、コネクタソケット３１、機器定格電圧端子３３、コネクタピン３０を経て電子機器２０、例えば、ＣＰＵ、モニター、ＣＤ、ＦＤＤなどの負荷に適正な電力が供給される。また、電流検出部４７で検出した電流値と電流検出部４７の出力側の電圧値をＰＷＭコントローラ４６に帰還して適正な出力かどうかが確認される。
さらに、図３に示すように、ＡＣアダプタ２１から電子機器２０に定格電圧を供給すると、同時にバッテリ４９にも充電される。
【００３０】
（２）ルックアップテーブル等からなる機器情報メモリ３９にあらゆる機種の電子機器固有のデータを事前に記憶し、そのＩＤチップモジュール２８を当該電子機器２０に接続したとき、その電子機器２０のＩＤを表す何らかの信号をアドレスとして該当するデータを自動的に選択する場合。
電子機器２０にＡＣアダプタ２１を接続するに際し、機器情報メモリ３９に、パソコン、ＰＤＡ、デジタルカメラ、携帯電話等の機種の異なる多くの電子機器２０ａ，２０ｂ，２０ｃ，２０ｄ，…の固有のすべての情報が使用前から機器情報メモリ３９に予め記憶されているＩＤチップモジュール２８が用いられる。
【００３１】
電子機器２０にＩＤチップモジュール２８を取り付け、ＡＣアダプタ２１にコントローラモジュール２９を取り付けて、これらの間をコネクタソケット３１とコネクタピン３０で結合する。
すると、コントローラモジュール２９の３Ｖ電源部４５から３Ｖのモジュール駆動電源がＩＤチップモジュール２８に供給され、ドライバ回路４０が駆動する。また、前記ドライバ回路４０に、コントローラモジュール２９のクロック信号発生部４４から図４（ａ）に示す数１００ＫＨｚ〜１ＭＨｚ程度のクロック信号が送られ、機器情報メモリ３９に、電子機器２０の固有のＩＤ信号がアドレスとして入力し、機器情報メモリ３９のデータの中から固有の情報、具体的には、その電子機器２０の固有の電源電圧、その他の制御用のデータ、例えば、図４（ｂ）に示すような各種の電子機器特有のデータが自動的に選択され、コネクタピン３０，コネクタソケット３１を経てコントローラモジュール２９に送られる。
データとファンクションの関係、ＡＣアダプタ２１の作用は前述の通りである。
【００３２】
機種の異なる多くの電子機器２０ａ，２０ｂ，２０ｃ，２０ｄ，…の中から他の電子機器２０にＡＣアダプタ２１を接続すると、ＩＤチップモジュール２８に記憶されている多数の情報の中からそれぞれ固有の情報が出力されるので、前記同様にして当該電子機器２０に対応する定格電圧に変換されて供給される。
【実施例２】
【００３３】
図５は、壁部５１にＡＣアダプタ２１を埋め込み、壁面のＤＣコネクタソケット３１に電子機器２０側のＤＣコネクタピン３０を接続した例を示している。
このような直流形のコンセントにすれば、従来のＡＣコンセントと異なり、整流損失がなくなり、エネルギー効率が向上する。また、ＡＣの整流・平滑回路が不要になるので、機器の小型化とコストダウンになる。
この図５では、ＡＣアダプタ２１とＡＣバス５２の間に力率改善回路５０を介在することで、現状の力率０．５〜０．６を略１に近づけることができる。
【実施例３】
【００３４】
図３に示した実施例では、ＡＣアダプタ２１から電子機器２０に定格電圧を供給すると、同時にバッテリ４９にも充電していたが、図６に示す例では、バッテリ４９の前段にスイッチ回路５４を介在させ、このスイッチ回路５４を充電制御部５３で制御するようにした。
このような構成とすることで、
（１）スイッチ回路５４を流れる電流を充電制御部５３で検出して充電電流をオン、オフ制御することにより、バッテリ４９の充電時のＡＣ−ＤＣ電源としてのＡＣアダプタ２１の出力の最適化ができる。
（２）スイッチ回路５４とメインスイッチ回路５６のオン、オフをコントロールして省電力化が可能となる。例えば、ＡＣアダプタ２１に十分余裕があるときはＡＣアダプタ２１からすべて供給するようにメインスイッチ回路５６を接続する場合、ＡＣアダプタ２１に十分余裕がないときはバッテリ４９からすべて供給するようにメインスイッチ回路５６を接続する場合、ＡＣアダプタ２１とバッテリ４９の両方から供給するようにメインスイッチ回路５６を接続する場合がある。
（３）メイン基板５５の動作のためのＡＣ−ＤＣ電源としてのＡＣアダプタ２１の最適電圧の出力が可能となる。前記（２）と同様の操作による。
（４）機器側がオフで、かつ、バッテリ４９が１００％の充電しているとき、ＡＣ−ＤＣ電源としてのＡＣアダプタ２１もオフすることで消費電流を０にすることができる。
【図面の簡単な説明】
【００３５】
【図１】本発明による電源装置の一実施例を示す基本構成のブロック図である。
【図２】図１におけるＩＤチップセットの一例を示す詳細なブロック図である。
【図３】本発明のＡＣ−ＤＣ電源としてのＡＣアダプタの具体的ブロック図である。
【図４】図２におけるＩＤチップセットのデータ読み出しの波形図である。
【図５】本発明の電源装置を壁部内の直流コンセントで結合したブロック図である。
【図６】バッテリのスイッチ回路と機器側のメインスイッチ回路のオン、オフをコントロールする例を示すブロック図である。
【図７】従来のＡＣ−ＤＣ電源としてのＡＣアダプタ７７２１の説明図である。
【図８】従来の電源装置の他の例を示すブロック図である。
【符号の説明】
【００３６】
１０…電源装置、１１…ＡＣプラグ、１２…スイッチングレギュレータ部、１３…ＤＣ−ＤＣコンバータ部、１４…出力制御部、１５…ジャック、１６…制御部、１７…出力設定操作部、１８…表示部、２０…電子機器、２１…ＡＣ−ＤＣ電源装置としてのＡＣアダプタ、２２…ＡＣコンセント、２３…ＡＣ電源コード、２４…ＤＣコード、２５…フィルタ、２６…整流・平滑回路、２７…電力変換回路、２８…ＩＤチップモジュール、２９…コントローラモジュール、３０…コネクタピン、３１…コネクタソケット、３２…ＩＤチップセット、３３…機器定格電圧端子、３４…３Ｖ端子、３５…データ端子、３６…クロック端子、３７…ロード端子、３８…グランド端子、３９…機器情報メモリ、４０…ドライバ回路、４１…電源コントローラ、４２…パラレルデータ変換部、４３…シリアルデータ変換部、４４…クロック信号発生部、４５…３Ｖ電源部、４６…ＰＷＭコントローラ、４７…電流検出部、４８…オペアンプ、４９…バッテリ、５０…力率改善回路、５１…壁部、５２…ＡＣバス、５３…充電制御部、５４…スイッチ回路、５５…メイン基板、５６…メインスイッチ回路。
【図１】
2008167542.tif 000004
【図２】
2008167542.tif 000005
【図３】
2008167542.tif 000006
【図４】
2008167542.tif 000007
【図５】
2008167542.tif 000008
【図６】
2008167542.tif 000009
【図７】
2008167542.tif 000010
【図８】
2008167542.tif 000011